(57)【要約】【課題】ユーザが種々の通知情報を簡単かつ容易に識別して確認できる電子機器を提供する。【解決手段】タッチ入力を検出するタッチセンサと、前記タッチセンサのタッチ面にタッチしているタッチ対象に対して触感を呈示する触感呈示部と、異なる種別の通知情報を記憶可能な記憶部と、前記記憶部に記憶可能な異なる種別の通知情報毎に異なるタッチ回数を対応づけ、前記記憶部に前記通知情報が記憶されている場合、前記タッチ対象が前記通知情報に対応づけられたタッチの回数前記タッチ面をタッチすると、前記タッチ対象に対して触感を呈示するように前記触感呈示部を制御する制御部と、を備える。【選択図】図８
2011095887.tif 000002
【特許請求の範囲】
【請求項１】
タッチ入力を検出するタッチセンサと、
前記タッチセンサのタッチ面にタッチしているタッチ対象に対して触感を呈示する触感呈示部と、
異なる種別の通知情報を記憶可能な記憶部と、
前記記憶部に記憶可能な異なる種別の通知情報毎に異なるタッチ回数を対応づけ、前記記憶部に前記通知情報が記憶されている場合、前記タッチ対象が前記通知情報に対応づけられたタッチ回数前記タッチ面をタッチすると、前記タッチ対象に対して触感を呈示するように前記触感呈示部を制御する制御部と、
を備える電子機器。
【請求項２】
前記制御部は、前記記憶部に前記通知情報が記憶されている場合、前記タッチ対象が前記タッチ面をタッチする毎に前記タッチ対象に対して触感を呈示し、前記タッチ対象が前記通知情報に対応づけられたタッチ回数前記タッチ面をタッチした際には、前記触感と異なる触感を前記タッチ対象に呈示するように前記触感呈示部を制御することを特徴とする請求項１に記載の電子機器。
【請求項３】
前記制御部は、前記記憶部に記憶可能な異なる種別の通知情報毎に異なる触感を対応づけ、前記記憶部に前記通知情報が記憶されている場合、前記タッチ対象が前記通知情報に対応づけられたタッチ回数前記タッチ面をタッチすると、前記タッチ対象に対して前記通知情報に対応づけられた触感を呈示するように前記触感呈示部を制御することを特徴とする請求項１又は２に記載の電子機器。
【請求項４】
前記制御部は、前記記憶部に記憶されている通知情報に基づき前記タッチ対象に対して触感を呈示し終えた後、前記タッチ対象が前記タッチ面をタッチすると、前記タッチ対象に対して前記触感と異なる触感を呈示するように前記触感呈示部を制御する請求項１乃至３のいずれか一項に記載の電子機器。
【発明の詳細な説明】
【技術分野】
【０００１】
本発明は、電子機器に関し、特に触感により通知情報を呈示することが可能な電子機器に関する。
【背景技術】
【０００２】
従来の電子機器には、種々の情報を通知する機能を有するものがあり、ユーザはその情報通知機能により、種々の情報を知ることができる。この電子機器の情報通知機能の一例として、電子機器に未読メールまたは未応答着信が記憶されている場合に、電子機器に備えられた表示部に未読メールまたは未応答着信がある旨の情報を表示してユーザに通知する機能がある。この機能により、ユーザは、ある時間放置していた電子機器に、新規受信メールまたは新規着信があったのか否か、すなわち未読メールまたは未応答着信があるか否かを、表示部に表示される情報により確認することができる。
【０００３】
しかし、例えば、携帯電話端末やＰＤＡ（Personal Digital Assistants）等のように
携帯されて使用される電子機器は、鞄やポケットに入れて携帯される場合が多い。この場合、電子機器の表示部に表示されている通知情報を確認するには、電子機器を鞄やポケットからいちいち取り出し、さらに機種によっては操作キーを押したり、折り畳み式の場合は機器を開いたりするなどの面倒な操作を行って、表示部に表示される通知情報を視認することになる。このため、ポケットや鞄等の中に収容物が詰まっている等の原因により、電子機器を取り出し難いといった状況においては、通知情報を確認し難く、ユーザにとっては不都合が生じていた。また、通知情報を確認する毎に、ポケット等からいちいち電子機器を取り出し、その後、再びポケット等に電子機器を戻すという一連の操作を行うことは、ユーザにとって手間になっていた。
【０００４】
なお、従来の折り畳み式の電子機器として、折り畳んだ状態で露出する部分にサブ表示部を設け、このサブ表示部に日時、着信、新着メール等を表示するようにしたものも提案されている（例えば、特許文献１参照）。この電子機器によれば、機器を開いてメインの表示部を見ることなく、機器を折り畳んだ状態で、サブ表示部を視認することにより、サブ表示部に表示されている通知情報を確認することができる。しかし、この電子機器においても、電子機器がポケット等に入っている場合は、いちいち機器を取り出してサブ表示部を視認することになるため、同様の不都合が生じることになる。
【０００５】
また、電子機器は、携帯されて種々の場所で使用されることから、例えば、炎天下や明るいライトの下で表示部に表示されている通知情報を見る場合もある。しかし、このような環境の下では、表示部による外光の反射や、外界の表示部への写りこみ等が生じて、表示部に表示されている通知情報が見づらくなる。
【０００６】
一方、従来の電子機器として、キー入力部の所定のキーを、触覚的に相違する２つの状態を表す所定のスイッチとして構成して、電話の着信や電子メールの受信など予め定められた処理が実行された際に、この所定のスイッチを予め定められた状態に遷移させるようにした電子機器も知られている（例えば、特許文献２参照）。
【０００７】
特許文献２に開示の電子機器によれば、ユーザは、所定のスイッチに触ることにより、未読メールや未応答着信があるか否かを確認することができる。しかも、ユーザは、所定のスイッチに触れればよいので、電子機器がポケットや鞄にある場合は、ポケット等に入れたままで、所定のスイッチに触ることにより未読メールや未応答着信の有無を確認することが可能となる。
【先行技術文献】
【特許文献】
【０００８】
【特許文献１】特開２００３−１９８６７６号公報
【特許文献２】特開２００１−２４９７５９号公報
【発明の概要】
【発明が解決しようとする課題】
【０００９】
しかしながら、上記特許文献２に開示の電子機器の場合、ユーザは、所定のスイッチを触ることにより、電話の着信や電子メールの受信があったことを知ることはできるが、電話の着信があったのか、電子メールの受信があったのかを判別することはできない。このため、ユーザにおいては、例えば電話待ちや電子メール待ちをしている場合に、どちらの着信があったのかを、表示部を見て確認しなければならないという面倒な操作を要することになる。
【００１０】
また、所定のスイッチは、キー入力部の一つのキーの大きさで、比較的小さい。このため、電子機器を鞄やポケット等に入れたままの状態で、所定のスイッチを触る場合は、電子機器の収容状態や姿勢が把握し難いことと相俟って、所定のスイッチを探すのに時間がかかる場合がある。
【００１１】
このようなことから、未読メールや未応答着信を、表示部を見ることなく、簡単かつ容易に識別して確認できる電子機器の開発が望まれている。特に、近年の電子機器は、上述した未読メールや未応答着信の他にも、スケジュールなどの種々の情報が通知可能となっていることから、ユーザが希望する種々の通知情報を、簡単かつ容易に識別して確認できることが望まれている。
【００１２】
本発明は、このような要望に応えるべくなされたもので、ユーザが種々の通知情報を簡単かつ容易に識別して確認できる電子機器を提供することを目的とするものである。
【課題を解決するための手段】
【００１３】
上記した課題を解決すべく、第１の発明による電子機器は、タッチ入力を検出するタッチセンサと、前記タッチセンサのタッチ面にタッチしているタッチ対象に対して触感を呈示する触感呈示部と、異なる種別の通知情報を記憶可能な記憶部と、前記記憶部に記憶可能な異なる種別の通知情報毎に異なるタッチ回数を対応づけ、前記記憶部に前記通知情報が記憶されている場合、前記タッチ対象が前記通知情報に対応づけられたタッチ回数前記タッチ面をタッチすると、前記タッチ対象に対して触感を呈示するように前記触感呈示部を制御する制御部と、を備える。
【００１４】
また、第２の発明による電子機器は、前記制御部は、前記記憶部に前記通知情報が記憶されている場合、前記タッチ対象が前記タッチ面をタッチする毎に前記タッチ対象に対して触感を呈示し、前記タッチ対象が前記通知情報に対応づけられたタッチ回数前記タッチ面をタッチした際には、前記触感と異なる触感を前記タッチ対象に呈示するように前記触感呈示部を制御する。
【００１５】
また、第３の発明による電子機器は、前記制御部は、前記記憶部に記憶可能な異なる種別の通知情報毎に異なる触感を対応づけ、前記記憶部に前記通知情報が記憶されている場合、前記タッチ対象が前記通知情報に対応づけられたタッチ回数前記タッチ面をタッチすると、前記タッチ対象に対して前記通知情報に対応づけられた触感を呈示するように前記触感呈示部を制御する。
【００１６】
また、第４の発明による電子機器は、前記制御部は、前記記憶部に記憶されている通知情報に基づき前記タッチ対象に対して触感を呈示し終えた後、前記タッチ対象が前記タッチ面をタッチすると、前記タッチ対象に対して前記触感と異なる触感を呈示するように前記触感呈示部を制御する。
【発明の効果】
【００１７】
本発明に係る電子機器によれば、異なる種別の通知情報毎に異なるタッチ回数を対応づけ、記憶部に通知情報が記憶されている場合、タッチ対象が通知情報に対応づけられたタッチ回数タッチ面をタッチすると、タッチ対象に対して触感を呈示する。したがって、ユーザは、タッチ面をタッチすることにより、種々の通知情報を識別して確認することが可能となる。
【図面の簡単な説明】
【００１８】
【図１】本発明の実施の形態に係る携帯電話端末の機能ブロック図である。
【図２】本発明の実施の形態に係る携帯電話端末の動作を説明するための図である。
【図３】本発明の実施の形態に係る携帯電話端末が呈示する触感を説明するための図である。
【図４】本発明の実施の形態に係る携帯電話端末が呈示する触感を説明するための図である。
【図５】本発明の実施の形態に係る携帯電話端末が呈示する触感を説明するための図である。
【図６】本発明の実施の形態に係る携帯電話端末の動作を説明するための図である。
【図７】本発明の実施の形態に係る携帯電話端末の動作を説明するための図である。
【図８】本発明の実施の形態に係る携帯電話端末による通知情報の触感呈示動作を示すフローチャートである。
【発明を実施するための形態】
【００１９】
以下、本発明に係る電子機器の実施の形態について、図を参照して説明する。
【００２０】
図１は、本発明の実施の形態に係る電子機器の機能ブロック図である。この電子機器は、電話機能および電子メールの送受信機能を有する携帯電話端末で、タッチセンサ１１、荷重検出部１２、触感呈示部１３、表示部１４、通信部１５、記憶部１６、および、全体の動作を制御する制御部１７を有する。
【００２１】
タッチセンサ１１は、そのタッチ面１１ａに対する指やスタイラスペンなどのタッチ対象によるタッチ入力を検出するもので、抵抗膜方式、静電容量方式、光学式等で構成して、表示部１４上に配置する。荷重検出部１２は、タッチセンサ１１のタッチ面１１ａに対する押圧荷重を検出するもので、例えば、歪みゲージセンサや圧電素子等の荷重に対して反応する素子を用いて構成する。触感呈示部１３は、タッチセンサ１１を振動させるもので、例えば、圧電素子を用いて構成する。
【００２２】
表示部１４は、押しボタンスイッチ（プッシュ式ボタンスイッチ）のような入力ボタン等の入力用オブジェクトを表示するもので、例えば、液晶表示パネルや有機ＥＬ表示パネル等を用いて構成する。この表示部１４に表示された入力用オブジェクトに対するタッチ入力は、タッチセンサ１１から出力される位置情報に基づいて制御部１７により検出される。通信部１５は、公知のセルラー網等のネットワークを介して電話や電子メール等の無線通信を行うように構成する。
【００２３】
記憶部１６には、無線通信プログラムを含む各種の動作プログラム、未読メールや未応答電話の着信情報（通知情報）あるいはユーザ入力によるスケジュール等の種々の通知情報、触感呈示部１３の駆動信号情報、タッチ対象がタッチ面をタッチしている回数等を記憶する。また、記憶部１６には、通信相手毎に、名前、メールアドレス、電話番号などの情報を記憶する。これらの情報は、ユーザの任意の設定等により、特定通信相手毎にグループに分けて記憶することが可能である。なお、記憶部１６には異なる種別の通知情報が記憶可能であるが、ここでいう、種別には、メール、電話、スケジュール等の種別のみならず、グループＡ、グループＢ等の種別や通信相手Ａ、通信相手Ｂ等の種別など、ユーザに分類して通知可能な情報の種別を含む。
【００２４】
制御部１７は、例えばＣＰＵ等からなり、タッチセンサ１１からの位置情報、荷重検出部１２からの押圧荷重情報に基づいて各部の動作を制御する。
【００２５】
次に、本実施の形態に係る携帯電話端末による触覚呈示動作について、図２を参照して説明する。図２において、縦軸は荷重検出部１２が検出する押圧荷重を示し、横軸は時間を示す。指等のタッチ対象がタッチ面１１ａをタッチし、そのままタッチ面１１ａに押圧力を加えることにより、荷重検出部１２が検出する押圧荷重は増加していく。そして、タッチ対象が押圧力を加えることにより、荷重検出部１２が検出する押圧荷重が荷重基準Ｆ１を満たすと、制御部１７は、タッチ面１１ａを振動させることによって指等のタッチ対象に触感を呈示するように触感呈示部１３を制御する。
【００２６】
触感呈示部１３がタッチ面１１ａを振動させる態様としては、図３に示すように、指等のタッチ対象に「ブルブルッ」という触感を呈示するために、時間Ｔで２周期分タッチ面を振動させる態様や、図４に示すように、指等のタッチ対象に「ブルブルブルッ」という触感を呈示するために、時間Ｔで４周期分タッチ面を振動させる態様や、図５に示すように、指等のタッチ対象に「ブルッ」という触感を呈示するために、時間Ｔで１周期分タッチ面を振動させる態様がある。このように、タッチ面１１ａを異なる周波数で振動させることによって、指等のタッチ対象に異なる触感を呈示することができる。
【００２７】
次に、本実施の形態に係る携帯電話端末による通知情報の触感呈示動作について、図６を参照して説明する。図６において、縦軸は荷重検出部１２が検出する押圧荷重を示し、横軸は時間を示す。
【００２８】
本実施の形態では、記憶部１６に、通信相手に係る電話番号やメールアドレス等の情報が記憶されており、この通信相手の情報がグループ１からグループ４までのいずれか一つのグループに分類されている。そして、制御部１７は、グループ１に分類された通信相手からの未応答電話（未応答着信）の着信情報（通知情報）がある場合、グループ１に係る通知情報として、タッチ回数１回が対応づけられる。同様に、グループ２にタッチ回数２回、グループ３にタッチ回数３回、グループ４にタッチ回数４回が対応づけられる。ここで、タッチ回数とは、指等のタッチ対象がタッチ面１１ａをタッチする回数に関連づけられるものである。
【００２９】
ここで、グループ３に分類されている通信相手からの未応答着信又は未読メール（通知情報）がある場合について説明する。まず、指等のタッチ対象によりタッチ面１１ａに、通知情報確認モード開始用の操作としてダブルクリックのような短時間に連続したタッチがされると(図６：「起動」)、制御部１７は、通知情報の確認モードを開始する。
【００３０】
ユーザは通知情報を確認するため、タッチ面１１ａをタッチ対象によりタッチしていく。確認モードを開始した後、タッチ面１１ａに対して１回目のタッチがなされるとグループ１を確認することになる。この場合グループ１に分類されている通信相手からの通知情報はないため、制御部１７は、図３に示した「ブルブルッ」というような触感（「なし」判定の触感）をタッチ面１１ａにタッチしているタッチ対象に呈示するように触感呈示部１３を制御する(図６：「グループ１」)。なお、ユーザは、予め「ブルブルッ」というような触感が呈示された場合には、通知情報がないということを認識していることが好適である。その後、タッチ面１１ａに対して２回目のタッチがなされるとグループ２を確認することになる。この場合もグループ２に分類されている通信相手からの通知情報はないため、制御部１７は、図３に示した「ブルブルッ」というような触感（「なし」判定の触感）をタッチ面１１ａにタッチしているタッチ対象に呈示するように触感呈示部１３を制御する (図６：「グループ２」)。
【００３１】
タッチ面１１ａに対して３回目のタッチがなされるとグループ３を確認することになる。この場合グループ３に分類されている通信相手からの通知情報があることから、制御部１７は、図４に示した「ブルブルブルッ」というような触感（「あり」判定の触感）をタッチ面１１ａにタッチしているタッチ対象に呈示するように触感呈示部１３を制御する(図６：「グループ３」)。なお、ユーザは、予め「ブルブルブルッ」というような触感が呈示された場合には、通知情報があるということを認識していることが好適である。これによりユーザはグループ３に分類されている通信相手からの通知情報があったことを知ることができる。その後、タッチ面１１ａに対して４回目のタッチがなされるとグループ４を確認することになり、グループ４に分類されている通信相手からの通知情報はないことから、制御部１７は、図３に示した「ブルブルッ」というような触感（「なし」判定の触感）をタッチ面１１ａにタッチしているタッチ対象呈示するように触感呈示部１３を制御する(図６：「グループ４」)。タッチ面１１ａに対して５回目のタッチがなされると、これ以上確認するグループが無いことから、通知情報の確認モードを終了させる旨を通知するために、制御部１７は、図５のような「ブルッ」という触感をタッチ面１１ａにタッチしているタッチ対象に呈示するように触感呈示部１３を制御する(図６：「終了」)。ユーザは、予め「ブルッ」というような触感が呈示された場合には、通知情報の確認モードが終了したということ認識していることが好適である。これにより、ユーザは通知情報の確認モードが終了したことを認識することができる。
【００３２】
上述のように、ユーザがすべてのグループを確認した後に、通知情報の確認モードを終了させる態様では、ユーザが確認したいグループ以外のグループも必ず確認しなければならなかった。そこで、通知情報の確認モードを全てのグループを確認する前に終了させる態様について、図７を参照して説明する。タッチ面１１ａに対して３回目のタッチがなされ、グループ３を確認するまでの説明は、図６の説明と同様であるために割愛する。タッチ面１１ａに対して３回目のタッチがなされ、制御部１７が、図４に示した「ブルブルブルッ」というような触感（「あり」判定の触感）をタッチ面１１ａにタッチしているタッチ対象に呈示するように触感呈示部１３を制御することにより、ユーザは、グループ３に分類されている通信相手からの通知情報があること確認ができる。その後、ユーザが、グループ４の確認は必要ないと判断した場合、通知情報の確認モードを終了させるために、タッチ面１１ａに対してタッチ対象にダブルクリックのような短時間に連続したタッチが行われると（図７：「終了」）通知情報の確認モードを終了し、通常のモードに移行する。
【００３３】
次に、本実施の形態に係る携帯電話端末による通知情報の触感呈示動作について、図８に示すフローチャートを参照して説明する。
【００３４】
先ず、制御部１７は、タッチセンサ１１が指等のタッチ対象によるタッチ入力を検出し、さらに、荷重検出部１２により検出されるタッチ入力に係る押圧荷重が所定の荷重基準を満たしているか否か判断する（ステップＳ１０１）。検出されたタッチ入力に係る押圧荷重が所定の荷重基準を満たしている場合、そのタッチ入力が通知情報の確認モードを開始するための入力であるか否かを判定する（ステップＳ１０２）。なお、以下本フローにおいては、タッチ対象によるタッチ入力を検出した場合、そのタッチ入力に係る押圧荷重は、所定の荷重基準を満たすものとする。
【００３５】
ステップＳ１０２において、タッチ入力が通知情報の確認モードを開始するための入力であると判定されると、制御部１７は、通知情報の確認モードを開始する（ステップＳ１０３）。通知情報の確認モード開始後、制御部１７は、タッチセンサ１１が新たなタッチ入力を検出したか否か判定する（ステップＳ１０４）。ステップＳ１０４にて新たなタッチ入力が検出されると、制御部１７は、通知情報の確認モード開始後に、指等のタッチ対象がタッチ面１１ａをタッチした回数が１回であることを、記憶部１６に記憶する（ステップＳ１０５）。ここで、新たなタッチ入力として、タッチ対象がタッチ面１１ａと非接触状態になった後、新たにタッチ面１１ａをタッチ（接触）したものを新たなタッチ入力としてもいいし、タッチ対象がタッチ面１１ａにタッチしている状態で、荷重検出部１２が検出する押圧荷重が所定の荷重基準を満たしている状態から満たさない状態に変化したのち、再び所定の荷重基準を満たしたものを新たなタッチ入力としてもよい。
【００３６】
続いて、制御部１７は、予め１回のタッチ回数に対応づけられているグループを特定する（ステップＳ１０６）。そして、そのグループに分類されている通信相手の通知情報が記憶部１６に記憶されているか否か判定する（ステップＳ１０７）。ここで、制御部１７は、通知情報が記憶されていると判定すると、図４に示した「ブルブルブルッ」という触感（「あり」判定の触感）をタッチ面１１ａにタッチしているタッチ対象に対して呈示するように触感呈示部１３の制御し（ステップＳ１０８）、通知情報が記憶されていないと判定すると、図３に示した「ブルブルッ」という触感（「なし」判定の触感）をタッチ面１１ａにタッチしているタッチ対象に対して呈示するように触感呈示部１３の制御する（ステップＳ１０９）。
【００３７】
ステップＳ１０８又はステップＳ１０９の後、制御部１７は、タッチセンサ１１が新たなタッチ入力を検出したか否か判定する（ステップＳ１１０）。ステップＳ１１０にて、新たなタッチ入力を検出したと判定した場合、ステップＳ１１１にて、記憶部１６に記憶されているタッチ回数を１回分加算して新たに記憶し、新たなタッチ入力を検出しない場合は本処理を終了する。ステップＳ１１１の後、ステップＳ１０６にて特定されたグループ以外のグループ（他のグループ）があるか否かを判定する。ステップＳ１１２にて、他のグループがないと判定された場合、制御部１７は、図５で示した「ブルッ」という確認モードを終了する触感をタッチ面１１ａをタッチしているタッチ対象に対して呈示するように触感呈示部１３を制御し（ステップＳ１１３）、本処理を終了する。
【００３８】
一方、ステップＳ１１２にて他のグループがあると判定された場合、ステップＳ１１０にて検出したタッチ入力が確認モードを終了させるための入力であるか否かを判定する（ステップＳ１１４）。ここで、確認モードを終了させるための入力である場合は本処理を終了し、確認モードを終了させるための入力でない場合は、ステップＳ１１１で新たに記憶したタッチ回数に対応するグループを特定し、ステップＳ１０６で特定したグループを更新する（ステップＳ１１５）。ステップＳ１１５にてグループを更新した後、ステップＳ１０７に移行し、本処理を継続する。なお、ステップＳ１０２にて、確認モードを開始するための入力でないと判定された場合は、ステップＳ１１６にて通常のタッチ入力として検出し、その通常のタッチ入力に対応する所定の処理を実行する（ステップＳ１１７）。
【００３９】
本実施の形態に係る携帯電話端末によれば、記憶部１６に予め設定されているグループに分類された通信相手からの未応答電話（未応答着信）の着信情報（通知情報）がある場合は、そのグループに対応づけられたタッチ回数、指等のタッチ対象がタッチセンサ１１のタッチ面１１ａをタッチすると、タッチ対象に対して触感を呈示するように触感呈示部１３が制御される。したがって、ユーザは、タッチ回数と、そのタッチ回数に対応づけられているグループを予め把握しておくことにより、タッチ面１１ａをそのタッチ回数タッチした際に、触感呈示部１３により「あり」判定の触感が呈示されるか否かにより、タッチ回数に対応づけられたグループから未応答電話があったか否かを把握することができる。
【００４０】
本発明を諸図面や実施例に基づき説明してきたが、当業者であれば本開示に基づき種々の変形や修正を行うことが容易であることに注意されたい。従って、これらの変形や修正は本発明の範囲内に含まれることに留意されたい。
【００４１】
本実施の形態では、荷重検出部が検出する押圧荷重が所定の荷重基準を満たすと、触感呈示部によりタッチ対象に対して触感を呈示する等の各種処理を行っているが、本発明はこれに限定されず、荷重検出部を有することなく、タッチセンサがタッチ入力を検出すると、触感呈示部によりタッチ対象に対して触感を呈示する等の各種処理を行ってもよい。
【００４２】
また、本実施の形態では、記憶部に通知情報がある場合とない場合で、それぞれ図４に示した「ブルブルブルッ」という触感（「あり」判定の触感）、図３に示した「ブルブルッ」という触感（「なし」判定の触感）をタッチ面にタッチしているタッチ対象に対して呈示するように触感呈示部の制御をしているが、本発明は、これに限定されず、記憶部に通知情報がある場合のみ、又はない場合のみ、制御部はタッチ面にタッチしているタッチ対象に対して触感を呈示するように触感呈示部を制御してもよい。
【００４３】
また、本実施の形態では、通知情報を有するグループ毎に異なるタッチ回数を対応づけていたが、本発明はこれに限定されずに、未着信応答や未読メール等の異なる種別毎に異なるタッチ回数を対応づけることができることはいうまでもない。たとえば、未着信応答に対してタッチ回数１回が、未読メールにはタッチ回数２回が対応づけられてもよい。
【００４４】
また、本実施の形態では、通知情報がある場合に「ブルブルブルッ」という触感を呈示し、通知情報がない場合に「ブルブルッ」という触感を呈示しているが、本発明はこれに限定されず、未着信応答の通知情報が記憶されている場合は、「ブルッ」という触感を呈示し、未読メールの通知情報が記憶されている場合は、「ブルブルッ」という触感を呈示してもよい。
【００４５】
また、本実施の形態では、呈示する触感として「ブルッ」という触感、「ブルブルッ」という触感、「ブルブルブルッ」という触感を呈示しているが、呈示している触感はこれらに限定されないことはいうまでもない。
【００４６】
また、本実施の形態では、荷重検出部が所定の荷重基準を満たす押圧荷重を検出すると、各種処理を行うようにしているが、本発明はこれに限定されず、荷重基準を２つ設定し、２つのうち低い荷重基準を満たした際に、本実施の形態で説明した各種の処理を行い、高い荷重基準を満たした際に、新たな処理を割り当てることができる。割り当てる新たな処理として、荷重検出部が低い荷重基準を満たす押圧荷重を満たした際に、「ブルブルブルッ」という触感（「あり」判定の触感）が呈示され、通知情報として未読メールがあることが通知された場合、ユーザは、そのまま押圧力を大きくし、荷重検出部により高い荷重基準を満たす押圧荷重が検出されると、その未読メールを読むために、メールアプリを起動してもよい。ここで、メールアプリの起動は一例であり、低い荷重基準を満たした際に呈示された通知情報に関連するアプリを、高い荷重基準を満たした際に起動してもよい。
【符号の説明】
【００４７】
１１  タッチセンサ
１１ａ  タッチ面
１２  荷重検出部
１３  触感呈示部
１４  表示部
１５  通信部
１６  記憶部
１７  制御部
【図１】
2011095887.tif 000003
【図２】
2011095887.tif 000004
【図３】
2011095887.tif 000005
【図４】
2011095887.tif 000006
【図５】
2011095887.tif 000007
【図６】
2011095887.tif 000008
【図７】
2011095887.tif 000009
【図８】
2011095887.tif 000010